【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームが開始可能となるとともに、各々が識別可能な複数種類の図柄を変動表示可能な可変表示装置に表示結果が導出表示されることにより１ゲームが終了し、該可変表示装置の表示結果に応じて入賞が発生可能とされたスロットマシンであって、
前記可変表示装置の表示結果が導出される前に、遊技者にとって有利な特別遊技状態への移行を伴う特別入賞及び該特別入賞以外の一般入賞を含む複数種類の入賞について発生を許容するか否かを決定する事前決定手段と、
前記可変表示装置の表示結果を導出させる際に操作される導出操作手段と、
前記一般入賞のうちの特定一般入賞の発生を許容する旨が決定されており、所定の手順にて前記導出操作手段が操作されたときに、前記特定一般入賞に対応する特定一般入賞表示結果を導出させる制御を行う導出制御手段と、
を備え、
前記事前決定手段は、前記特定一般入賞の発生を許容する旨を単独で決定する第１の決定、及び前記特定一般入賞の発生を許容する旨及び前記特定一般入賞と異なる特別一般入賞の発生を許容する旨を同時に決定する第２の決定を行うことが可能であり、
前記導出制御手段は、
前記第１の決定がなされており、前記所定の手順以外の手順にて前記導出操作手段が操作されたときに、前記特定一般入賞表示結果以外の表示結果である第１の所定表示結果及び第２の所定表示結果のうち前記第１の所定表示結果を前記第２の所定表示結果よりも高い割合で導出させる制御を行い、
前記第２の決定がなされており、前記所定の手順以外の手順にて前記導出操作手段が操作されたときに、前記第２の所定表示結果を前記第１の所定表示結果よりも高い割合で導出させる制御を行う
ことを特徴とするスロットマシン。
【請求項２】
前記可変表示装置は、各々が識別可能な複数種類の図柄を変動表示可能な複数の可変表示領域のそれぞれに表示結果を導出表示させる表示装置であり、前記複数の可変表示領域の全てに表示結果が導出表示されたことにより１ゲームが終了し、前記複数の可変表示領域に導出表示された表示結果として複数の入賞ラインのうちいずれかの入賞ライン上に導出表示された図柄の組み合わせに応じて入賞が発生可能とされたスロットマシンであって、
前記導出制御手段は、
前記第１の決定がなされており、前記所定の手順にて前記導出操作手段が操作されたときに、前記複数の入賞ラインのうち第１の入賞ラインに、第２の入賞ラインよりも高い割合で前記特定一般入賞を発生させるための図柄の組み合わせを導出させる制御を行い、
前記第２の決定がなされており、前記所定の手順にて前記導出操作手段が操作されたときに、前記複数の入賞ラインのうち前記第２の入賞ラインに、前記第１の入賞ラインよりも高い割合で前記特定一般入賞を発生させるための図柄の組み合わせを導出させる制御を行う
ことを特徴とする請求項１に記載のスロットマシン。
【請求項３】
前記事前決定手段は、
前記特定一般入賞の発生を許容する旨及び前記特別入賞の発生を許容する旨を同時に決定する第３の決定、前記特定一般入賞の発生を許容する旨、前記特別一般入賞の発生を許容する旨及び前記特別入賞の発生を許容する旨を同時に決定する第４の決定を行うことが可能であり、
前記第１の決定がなされる確率と前記第３の決定がなされる確率との合算確率に占める前記第３の決定がなされる確率の比率と、前記第２の決定がなされる確率と前記第４の決定がなされる確率との合算確率に占める前記第４の決定がなされる確率の比率と、が異なる確率で前記第１〜４の決定を行い、
前記導出制御手段は、
前記第３の決定がなされており、前記所定の手順以外の手順にて前記導出操作手段が操作されたときに、前記第１の所定表示結果を前記第２の所定表示結果よりも高い割合で導出させる制御を行い、
前記第４の決定がなされており、前記所定の手順以外の手順にて前記導出操作手段が操作されたときに、前記第２の所定表示結果を前記第１の所定表示結果よりも高い割合で導出させる制御を行う
ことを特徴とする請求項１または２に記載のスロットマシン。
【請求項４】
前記事前決定手段は、
前記特定一般入賞の発生を許容する旨及び前記特別入賞の発生を許容する旨を同時に決定する第３の決定、前記特定一般入賞の発生を許容する旨、前記特別一般入賞の発生を許容する旨及び前記特別入賞の発生を許容する旨を同時に決定する第４の決定を行うことが可能であり、
前記第１の決定がなされる確率と前記第４の決定がなされる確率との合算確率に占める前記第４の決定がなされる確率の比率と、前記第２の決定がなされる確率と前記第３の決定がなされる確率との合算確率に占める前記第３の決定がなされる確率の比率と、が異なる確率で前記第１〜４の決定を行い、
前記導出制御手段は、
前記第４の決定がなされており、前記所定の手順以外の手順にて前記導出操作手段が操作されたときに、前記第１の所定表示結果を前記第２の所定表示結果よりも高い割合で導出させる制御を行い、
前記第３の決定がなされており、前記所定の手順以外の手順にて前記導出操作手段が操作されたときに、前記第２の所定表示結果を前記第１の所定表示結果よりも高い割合で導出させる制御を行う
ことを特徴とする請求項１または２に記載のスロットマシン。
【請求項５】
前記第１〜４の決定のいずれかがなされたときに、２以上の所定ゲーム数にわたる演出内容を決定する連続演出内容決定手段と、
前記第１〜４の決定のいずれかがなされた後、前記所定ゲーム数にわたり前記連続演出内容決定手段にて決定された演出内容に基づく連続演出を実行する連続演出実行手段と、
前記連続演出が開始した後、前記所定ゲーム数に到達する前に新たに特定一般入賞の発生を許容する旨が決定されたときに残りの演出内容を変更する演出内容変更手段と、
を備える
ことを特徴とする請求項３または４に記載のスロットマシン。
【請求項６】
前記第１の所定表示結果が導出されたときに、前記遊技用価値を用いることなくゲームを行うことが可能な再遊技の付与を伴う再遊技入賞の発生を許容する旨の決定を通常遊技状態よりも高い確率で行う第１の再遊技高確率状態に制御する第１の再遊技高確率状態制御手段と、
前記第２の所定表示結果が導出されたときに、前記再遊技入賞の発生を許容する旨の決定を通常遊技状態よりも高い確率で行い、かつ前記第１の再遊技高確率状態と有利度の異なる第２の再遊技高確率状態に制御する第２の再遊技高確率状態制御手段と、
を備える
ことを特徴とする請求項１〜５のいずれかに記載のスロットマシン。
【手続補正２】
【補正対象書類名】明細書
【補正対象項目名】００１１
【補正方法】変更
【補正の内容】
【００１１】
本発明の請求項４に記載のスロットマシンは、請求項１または２に記載のスロットマシンであって、
前記事前決定手段は、
前記特定一般入賞の発生を許容する旨及び前記特別入賞の発生を許容する旨を同時に決定する第３の決定（ＢＢ（１）＋オレンジ、ＢＢ（２）＋プラム、ＢＢ（３）＋スイカ）、前記特定一般入賞の発生を許容する旨、前記特別一般入賞の発生を許容する旨及び前記特別入賞の発生を許容する旨を同時に決定する第４の決定（ＢＢ（１）＋オレンジ＋１枚（１）、ＢＢ（２）＋プラム＋１枚（２）、ＢＢ（３）＋スイカ＋１枚（３））を行うことが可能であり、
前記第１の決定（オレンジ、プラム、スイカ）がなされる確率と前記第４の決定（オレンジ＋１枚（１）＋ＢＢ（１）、プラム＋１枚（２）＋ＢＢ（２）、スイカ＋１枚（３）＋ＢＢ（３））がなされる確率との合算確率に占める前記第４の決定がなされる確率の比率と、前記第２の決定（オレンジ＋１枚（１）、プラム＋１枚（２）、スイカ＋１枚（３））がなされる確率と前記第３の決定（オレンジ＋ＢＢ（１）、プラム＋ＢＢ（２）、スイカ＋ＢＢ（３））がなされる確率との合算確率に占める前記第３の決定がなされる確率の比率と、が異なる確率で前記第１〜４の決定を行い、
前記導出制御手段は、
前記第４の決定（ＢＢ（１）＋オレンジ＋１枚（１）、ＢＢ（２）＋プラム＋１枚（２）、ＢＢ（３）＋スイカ＋１枚（３））がなされており、前記所定の手順以外の手順（引込範囲外での停止操作）にて前記導出操作手段（ストップスイッチ８Ｌ、８Ｃ、８Ｒ）が操作されたときに、前記第１の所定表示結果（チャンス目が入賞ラインＬ１、Ｌ２、Ｌ３に揃う表示態様）を前記第２の所定表示結果（チャンス目が入賞ラインＬ４、Ｌ５に揃う表示態様）よりも高い割合で導出させる制御を行い、
前記第３の決定（ＢＢ（１）＋オレンジ、ＢＢ（２）＋プラム、ＢＢ（３）＋スイカ）がなされており、前記所定の手順以外の手順（引込範囲外での停止操作）にて前記導出操作手段（ストップスイッチ８Ｌ、８Ｃ、８Ｒ）が操作されたときに、前記第２の所定表示結果（チャンス目が入賞ラインＬ４、Ｌ５に揃う表示態様）を前記第１の所定表示結果（チャンス目が入賞ラインＬ１、Ｌ２、Ｌ３に揃う表示態様）よりも高い割合で導出させる制御を行う
ことを特徴としている。
この特徴によれば、所定の手順以外の操作手順にて導出操作手段が操作された場合に、第１の所定表示結果または第２の所定表示結果が導出されることで、特別入賞の発生が許容されている可能性が示唆されるとともに、第１の所定表示結果が導出された場合と、第２の所定表示結果が導出された場合と、で特別入賞の発生が許容されている可能性が異なる。すなわち、共通の手順で導出操作手段が操作された場合にも、その際導出された表示結果の違いによって特別入賞の発生が許容されていることに対する期待度に変化を持たせることができる。
尚、前記導出制御手段は、前記第１の決定または前記第４の決定がなされた第１の条件が成立しており、前記所定の手順以外の手順にて前記導出操作手段が操作されたときに、前記第１の所定表示結果を前記第２の所定表示結果よりも高い割合で導出させる制御を行い、前記第２の決定または前記第３の決定がなされ第１の条件が成立しており、前記所定の手順以外の手順にて前記導出操作手段が操作されたときに、前記第２の所定表示結果を前記第１の所定表示結果よりも高い割合で導出させる制御を行うとともに、複数種類の演出種類のうちからいずれかの種類の演出を選択する際の選択比率または複数の異なるタイミングからいずれかのタイミングを演出開始タイミングとして選択する際の選択比率を、前記第１の条件が成立しているときと、前記第２の条件が成立しているときと、で異なる選択比率とすることが好ましく、このようにすることで、第１の所定表示結果が導出されやすいのか、第２の所定表示結果が導出されやすいのか、に応じて、演出の選択比率または演出の開始タイミングの選択比率が異なり、第１の所定表示結果が導出されたか、第２の所定表示結果が導出されたか、による特別入賞が許容されている可能性と、演出の種類または演出の開始タイミングと、がリンクするため、これら可変表示装置の表示態様と演出またはその開始タイミングによって特別入賞の発生が許容されていることに対する遊技者の期待感を相乗的に高めることができる。
【手続補正３】
【補正対象書類名】明細書
【補正対象項目名】００１４
【補正方法】変更
【補正の内容】
【００１４】
本発明のスロットマシンは、請求項１〜６のいずれかに記載のスロットマシンであって、
ゲームの制御を行う遊技制御手段（メイン制御部４１）を搭載した遊技制御基板（遊技制御基板４０）と、
ゲームの進行に関わる信号を出力する第１の電子部品と遊技の進行に関わる信号が入力される第２の電子部品とのうち少なくとも一方を含む遊技用電子部品（投入メダルセンサ３１）と、
コネクタ（基板側コネクタ６２０ａとケーブル側コネクタ６１０ａ／基板側コネクタ６２１ａとケーブル側コネクタ６１１ａ／基板側コネクタ６２２ｇとケーブル側コネクタ６１２ｇ）同士での接続により着脱可能に前記遊技用電子部品（投入メダルセンサ３１）と前記遊技制御基板（遊技制御基板４０）との間に設けられ、前記遊技用電子部品（投入メダルセンサ３１）と前記遊技制御基板（遊技制御基板４０）とを電気的に接続するための配線（ケーブル６００ａ、６０１ｇ）と、
前記配線とコネクタ（基板側コネクタ６２１ａとケーブル側コネクタ６１１ａ／基板側コネクタ６２２ｇとケーブル側コネクタ６１２ｇ）同士で接続され、前記遊技用電子部品（投入メダルセンサ３１）と前記遊技制御基板（遊技制御基板４０）との間での信号の入出力を中継する中継基板（操作部中継基板１１０）と、
前記遊技用電子部品（投入メダルセンサ３１）と前記遊技制御基板（遊技制御基板４０）との間における前記配線上のコネクタ同士での接続を、該コネクタ同士での接続に関わる解除規制部位を破壊しない限り、解除不能とする接続解除規制状態を形成する電子部品接続解除規制手段（コネクタ規制部材）と、
を備え、
前記電子部品接続解除規制手段は、
前記遊技制御基板（遊技制御基板４０）と前記中継基板（操作部中継基板１１０）との間における前記配線（ケーブル６００ａ）のコネクタ（基板側コネクタ６２０ａとケーブル側コネクタ６１０ａ／基板側コネクタ６２１ａとケーブル側コネクタ６１１ａ）同士での接続を解除不能とする第１の電子部品接続解除規制手段（コネクタ規制部材）と、
前記中継基板（操作部中継基板１１０）と前記遊技用電子部品（投入メダルセンサ３１）との間における前記配線（ケーブル６０１ｇ）のコネクタ（基板側コネクタ６２２ｇとケーブル側コネクタ６１２ｇ）同士での接続を解除不能とする第２の電子部品接続解除規制手段（コネクタ規制部材）と、
を含む
ことを特徴としている。
この特徴によれば、遊技制御基板と中継基板との間における配線のコネクタだけでなく、中継基板と遊技用電子部品との間における配線のコネクタ同士での接続の解除が規制されることで、遊技用電子部品と遊技制御基板との間に設けられる配線の全てのコネクタ同士での接続の解除が規制される。これによりいずれかのコネクタを不正な打ち込み器具等のコネクタに差し替えて接続し、遊技制御基板に遊技の進行に関わる不正な信号を入出力させるといった不正行為を行うことが困難となるため、不正な打ち込み器具を使用して特典を得るための特典入手情報を容易に取得できる状態に設定したスロットマシンや、特別入賞が当選した状態に設定したスロットマシンを、例えば遊技店の営業開始時等において遊技客に提供するといった不正営業の実施等を効果的に防止できる。
また、電子部品接続解除規制手段により接続解除規制状態が形成されることで、コネクタ同士での接続を解除するためには解除規制部位を破壊しなければならず、これにより接続を解除した後に再度接続解除規制状態を形成することが極めて困難となり、かつ、手間がかかるため、上記不正行為をより効果的に抑制することができる。
尚、前記中継基板は、一の遊技用電子部品と遊技制御基板との間に１つ、または複数接続されていても良く、複数の中継基板が接続される場合において、前記電子部品接続解除規制手段は、一の中継基板と他の中継基板との間における前記配線のコネクタ同士での接続を解除不能とする第３の電子部品接続解除規制手段を備えることが好ましく、このようにすることで、遊技用電子部品と遊技制御基板との間に設けられる配線の全てのコネクタ同士での接続の解除が規制される。